(57)【要約】【課題】電子機器の設定情報を記録することができるバッテリパック及びこのバッテリパックに自機器の設定情報を記録させることができる電子機器を提供することである。【解決手段】バッテリパックは、電子機器の機能を設定するための設定情報を記憶する設定情報記憶手段と、電子機器の制御信号に基づき、設定情報記憶手段に対する設定情報の書き込み処理及び読み出し処理を制御する設定情報制御手段と、通信端子を介し、設定情報制御手段で制御する設定情報を送受信する通信手段を内蔵し、電子機器は、バッテリパックの記憶手段に対する設定情報の書き込み操作及び読み出し操作を制御する設定情報操作手段と、通信端子を介し、設定情報操作手段で操作される設定情報を送受信する通信手段を備えた構成とする。【選択図】  図３
2004335247.tif 000002
【特許請求の範囲】
【請求項１】
電子機器と接続して電力を供給し、又、充電器と接続して充電するための接続端子と、
前記電子機器との間でデータ通信を行うための通信端子と、
を有するバッテリパックであって、
前記電子機器の機能を設定するための設定情報を記憶する設定情報記憶手段と、
前記電子機器の制御信号に基づき、前記設定情報記憶手段に対する前記設定情報の書き込み処理及び読み出し処理を制御する設定情報制御手段と、
前記通信端子を介し、前記設定情報制御手段で制御する前記設定情報を送受信する通信手段と、
を内蔵していること
を特徴とするバッテリパック。
【請求項２】
前記設定情報記憶手段は、前記設定情報と共にバッテリパックの電力容量に関する情報を記憶すること
を特徴とする請求項１に記載のバッテリパック。
【請求項３】
前記通信手段は、前記通信端子を介してバッテリパックの電力容量に関する情報を送信すること
を特徴とする請求項１に記載のバッテリパック。
【請求項４】
機器の機能を設定するための設定情報を記憶する記憶手段を内蔵したバッテリパックを装着して駆動することが可能であり、
前記バッテリパックと接続して電力の供給を受けるための接続端子と、
前記バッテリパックと接続してデータ通信するための通信端子と、
を有する電子機器であって、
前記バッテリパックの記憶手段に対する前記設定情報の書き込み操作及び読み出し操作を制御する設定情報操作手段と、
前記通信端子を介し、前記設定情報操作手段で操作される前記設定情報を送受信する通信手段と、
を備えていること
を特徴とする電子機器。
【請求項５】
前記設定情報制御手段は、自機器に設定してある設定情報を、前記バッテリパックの記憶手段から読み出した設定情報に更新する機能を備えていること
を特徴とする請求項４に記載の電子機器。
【請求項６】
前記設定情報制御手段は、前記バッテリパックの記憶手段から読み出した設定情報と自機器に設定してある設定情報とを比較し、バッテリパックの記憶手段の設定情報又は自機器に設定してある設定情報を、最新である方の設定情報に更新する機能を備えていること
を特徴とする請求項４に記載の電子機器。
【発明の詳細な説明】
【０００１】
【発明の属する技術分野】
本発明は、バッテリパック及び電子機器に関するものである。詳しくは、電子機器の設定情報を記録することができるバッテリパック及びこのバッテリパックに機器の設定情報を記録させることができる電子機器に関するものである。
【０００２】
【従来の技術】
従来技術において、ユーザが使用状況に応じて機器の持つ機能を選択して設定できる電子機器がある。例えば、ビデオカメラなどでは、その使い勝手向上のため、電子ズームや記録（録画）モード、オートフォーカスのオン／オフなど各機能の設定する、いわゆる「初期設定」ができるようになっており、機器の設定情報を使用者の好みや使用状況によって最適な設定にカスタマイズできるようになっている。
【０００３】
このようにして「初期設定」された機器の設定情報は、機器内にある記憶装置（例えば、ＲＡＭ；Ｒａｎｄｏｍ  Ａｃｃｅｓｓ  ＭｅｍｏｒｙやＲＯＭ；Ｒｅａｄ  Ｏｎｌｙ  Ｍｅｍｏｒｙ）や機器に挿抜可能なメモリカードなどに記憶させている。
【０００４】
また、ビデオカメラ本体に装着して電源を供給するバッテリパックにメモリカードを挿抜する機構を設け、ビデオカメラで撮影している画像の静止画データなどをメモリカードに記録して再生できるビデオカメラが考案されている（例えば、特許文献１参照。）。
【０００５】
【特許文献１】
特開２００１−７８０６８号公報（第４頁、図１）
【０００６】
【発明が解決しようとする課題】
しかしながら、上述した電子機器では、接続しているバッテリパックの容量がなくなったり、バッテリパックが外れてしまった場合、電力の供給が絶たれてしまい、設定情報を保持しておくことができないため、新たに充電されているバッテリパックと交換し、再度「初期設定」する必要があった。また、同機種の機器を借りたり、同機種の買い換えや買い増しをする場合にも改めて「初期設定」を行わなければならない。
【０００７】
また、メモリカードなど他の記録媒体に設定情報を記憶させる場合、電子機器本体側にメモリカードなどを挿抜する機構や通信端子などを設けなければならないため構造が複雑となり、機器本体を小型化する際の障害になってしまうという問題がある。
【０００８】
一方、上述した特許文献１（特開２００１−７８０６８）では、メモリカードを着脱する機構をバッテリパック側に設けているが、設定情報を記憶することはできず、また、上述の問題と同様にスロットや通信端子などをバッテリパックに設けなければならないため構造が複雑になってしまい、コストが高くなるという問題がある。
【０００９】
従って、構造が複雑でなく、電子機器の機能を設定するための設定情報を記録して保存できるようなバッテリパック及びこのバッテリパックに設定情報を記憶させることができる電子機器を提供することに解決しなければならない課題を有する。
【００１０】
【課題を解決するための手段】
前記課題を解決するため、本発明に係るバッテリパック及び電子機器は次のような構成にすることである。
【００１１】
（１）電子機器と接続して電力を供給し、又、充電器と接続して充電するための接続端子と、前記電子機器との間でデータ通信を行うための通信端子と、を有するバッテリパックであって、前記電子機器の機能を設定するための設定情報を記憶する設定情報記憶手段と、前記電子機器の制御信号に基づき、前記設定情報記憶手段に対する前記設定情報の書き込み処理及び読み出し処理を制御する設定情報制御手段と、前記通信端子を介し、前記設定情報制御手段で制御する前記設定情報を送受信する通信手段と、を内蔵していることを特徴とするバッテリパック。
（２）前記設定情報記憶手段は、前記設定情報と共にバッテリパックの電力容量に関する情報を記憶することを特徴とする（１）に記載のバッテリパック。
（３）前記通信手段は、前記通信端子を介してバッテリパックの電力容量に関する情報を送信することを特徴とする（１）に記載のバッテリパック。
【００１２】
（４）機器の機能を設定するための設定情報を記憶する記憶手段を内蔵したバッテリパックを装着して駆動することが可能であり、前記バッテリパックと接続して電力の供給を受けるための接続端子と、前記バッテリパックと接続してデータ通信するための通信端子と、を有する電子機器であって、前記バッテリパックの記憶手段に対する前記設定情報の書き込み操作及び読み出し操作を制御する設定情報操作手段と、前記通信端子を介し、前記設定情報操作手段で操作される前記設定情報を送受信する通信手段と、を備えていることを特徴とする電子機器。
（５）前記設定情報制御手段は、自機器に設定してある設定情報を、前記バッテリパックの記憶手段から読み出した設定情報に更新する機能を備えていることを特徴とする（４）に記載の電子機器。
（６）前記設定情報制御手段は、前記バッテリパックの記憶手段から読み出した設定情報と自機器に設定してある設定情報とを比較し、バッテリパックの記憶手段の設定情報又は自機器に設定してある設定情報を、最新である方の設定情報に更新する機能を備えていることを特徴とする（４）に記載の電子機器。
【００１３】
上述したように、バッテリパックは、設定情報記憶手段と、設定情報制御手段と、通信手段とを内蔵した構成であり、通信手段によって電子機器との間のデータ通信を行い、設定情報制御手段が電子機器の制御信号に基づいて、設定情報記憶手段に対する設定情報の書き込み処理及び読み出し処理を制御するので、従来のバッテリパックと同様に、接続端子及び通信端子のみを有する簡単な構造であり、且つ、電子機器の設定情報を記憶することができる。
【００１４】
また、電子機器は、バッテリパックの記憶手段に対する設定情報の書き込み操作及び読み出し操作を制御する設定情報操作手段と、通信端子を介し、設定情報操作手段で操作される設定情報を送受信する通信手段を備えた構成とすることで、通信端子を介し、装着したバッテリパックの記憶手段に対する設定情報の書き込み操作や読み出し操作などを制御することができる。
【００１５】
【発明の実施の形態】
次に、本発明に係るバッテリパック及び電子機器による実施の形態について図面を参照して説明する。但し、図面は専ら解説のためのものであって、本発明の技術的範囲を限定するものではない。
【００１６】
図１は、バッテリパック１０の外観を示したものであり、電子機器と接続して電力を供給し、又、充電器（図示せず）と接続して充電するための＋端子１１及び−端子１２と、電子機器との間でデータ通信するための通信端子１３を有している。
【００１７】
図２は、図１で示したバッテリパック１０の内部構成を簡略化して示したブロック図であり、バッテリセル１１０、充放電制御回路１２０、マイクロコンピュータ１３０、メモリ１４０、通信回路１５０、電流検出回路１６０、充放電制御スイッチ１７０、発振回路１８０、サーミスタ１８５などから構成されている。
【００１８】
バッテリセル１１０は、充放電制御スイッチ１７０に従い、＋端子１１及び−端子１２を介して充電器（図示せず）から充電をし、充電した電力を装着された電子機器やバッテリパック１０内の各部に供給する。
【００１９】
充放電制御回路１２０は、充放電制御スイッチ１７０を制御したり、電流検出回路１６０で検出した電流値やバッテリセル１１０の電力容量に関する情報（以下、バッテリセル情報という）を収集してマイクロコンピュータ１３０に送出する。
【００２０】
マイクロコンピュータ１３０は、発振回路１８０のタイミング信号に基づいて動作し、制御プログラムや通信回路１５０を介して送られてくる電子機器からの制御信号などに従って、メモリ１４０に対するデータの読み出し／書き込み操作の制御や通信回路１５０の制御を行う。
【００２１】
メモリ１４０は、マイクロコンピュータ１３０の制御に従い、電子機器の設定情報の読み出し／書き込みを行う。
【００２２】
また、メモリ１４０の所定の記憶領域には、設定情報を記憶できるバッテリパックであることを示すフラグ情報（以下、バッテリ種別情報という）が記録されており、電子機器側でこのバッテリ種別情報を検出することで「機器設定記録対応型」のバッテリパックであるか否かを判別する。
【００２３】
また、メモリ１４０は、電子機器の設定情報と共に、バッテリセル情報などを読み出し／書き込みできる構成にすることで、バッテリパック内必要なメモリ領域を共有化することが可能となる。
【００２４】
更に、所定の記憶領域に設定情報の書き込み（記憶）を許可するか、また、メモリに記憶してある設定情報を自動更新（書き換え）するのかを示すフラグ情報（以下、まとめて書込許可情報という）を設定できる構成とすることで、設定情報の書き換えを制御することができる。
【００２５】
この書込許可情報は、電子機器からソフトウェアで設定することも可能であり、バッテリパックにスイッチを設け、このスイッチを切り換えることにより設定できる構成にしてもよい。
【００２６】
なお、メモリ１４０は、バッテリセル１１０から電力を供給する構成にすることで、記憶容量の大きなメモリを内蔵することが可能となる。
【００２７】
通信回路１５０は、マイクロコンピュータ１３０の制御に従い、通信端子１３を介して電子機器との間のデータ通信処理を行い、メモリ１４０に記憶されている設定情報やバッテリセル情報を電子機器側へ送出したり、電子機器側から送られてくる設定情報をマイクロコンピュータ１３０へ転送する。
【００２８】
なお、設定情報を送受信する通信端子１３を、従来のバッテリパックにおいてバッテリセル情報を送出するために使用している通信端子と兼用する構成にしたことで、従来のバッテリパックを使用している電子機器でも本バッテリパックを使用することができる。
【００２９】
電流検出回路１６０は、バッテリセル１１０に印加される電流値を検出し、検出した電流値を充放電制御回路１２０に送る。
【００３０】
充放電制御スイッチ１７０は、充放電制御回路１２０の制御に従い、充電ＳＷ（スイッチ）及び放電ＳＷ（スイッチ）によってバッテリセル１１０の充電／放電を切り換える。
【００３１】
発振回路１８０は、バッテリパック内における処理・制御動作の基準となるタイミング信号を生成してマイクロコンピュータ１３０に供給する。
【００３２】
サーミスタ１８５は、バッテリパック内部の温度を検出し、検出した内部温度データをマイクロコンピュータ１３０に送る。
【００３３】
次に、図２で示したバッテリパック１０を電子機器に接続したときの構成について説明する。
【００３４】
図３は、一例として、バッテリパック１０を電子機器である撮像機器２０に接続したときの構成を簡略化して示したブロック図である。
【００３５】
バッテリパック１０は、図２と同じ構成であるので説明を省略する。なお、充放電制御スイッチ１７０、発振回路１８０、サーミスタ１８５は省略している。
【００３６】
電子機器である撮像機器２０は、電源回路２１０と、電源回路２１０からの給電により動作するメイン回路２２０から構成され、メイン回路２２０は、撮像部２２１、信号処理部２２２、マイコン２２３、メモリ２２４、操作部２２５、表示部２２６、通信回路２３０等から構成されている。
【００３７】
電源回路２１０は、バッテリパック１０などの電源から得られる電力を＋端子２１及び−端子２２を介してメイン回路２２０に供給する。
【００３８】
メイン回路２２０の撮像部２２１は、マイコン２２３の制御に従い、撮影する被写体からの光を取り込んで映像信号に変換して信号処理部２２２に送る。
【００３９】
メイン回路２２０の信号処理部２２２は、マイコン２２３の制御に従い、撮像部２２１から送られてくる映像信号に対して補正処理（ホワイトバランス、階調、輝度、色などの補正処理）など所定の信号処理を行い、表示部２２６などに送出する。
【００４０】
メイン回路２２０のマイコン２２３は、制御プログラムや操作部２２５を介して送られてくるユーザからの操作情報に基づいて、メイン回路２２０内各部の制御を行う。
【００４１】
また、マイコン２２３は、通信回路２３０を介してバッテリパック１０のメモリ１４０に記録されているバッテリ種別情報を取得すると、バッテリパック１０が「機器設定記録対応型」のバッテリパックであるか否かを判別する。
【００４２】
メイン回路２２０のメモリ２２４は、操作部２２５を介して設定された設定情報や通信回路２３０を介して取得した設定情報及びバッテリセル情報などを記憶・保存したり、メモリ内に記憶してあるこれらの情報を読み出してマイコン２２３に送ったり、削除したりする。
【００４３】
メイン回路２２０の操作部２２５は、ユーザ操作による設定情報などの設定や機器への動作指示などの操作情報をマイコン２２３に送る。
【００４４】
メイン回路２２０の表示部２２６は、マイコン２２３の制御に従い、信号処理部２２２からの映像信号やマイコン２２３からのデータを液晶画面やＥＶＦ（Ｅｌｅｃｔｒｏｎｉｃ  Ｖｉｅｗ  Ｆｉｎｄｅｒ）などに表示する。
【００４５】
メイン回路２２０の通信回路２３０は、マイコン２２３の制御に従い、通信端子２３を介してバッテリパック１０との間のデータ通信処理を行い、メモリ２２４に記憶されている設定情報をバッテリパック１０へ送出したり、バッテリパック１０から送られてくる設定情報やバッテリセル情報などをマイコン２２３へ転送する。
【００４６】
続いて、図３で示したバッテリパック１０を撮像機器２０に接続した構成を例にして、バッテリパック及び電子機器の動作状態を図４、図５を参照しながら説明する。
【００４７】
図４の太線及び太枠で示した部分が「設定情報」の通信経路であり、図５の太線及び太枠で示した部分が「バッテリセル情報」の通信経路である。
【００４８】
まず、バッテリパックを電子機器に装着したとき、バッテリパックの種別や内蔵しているメモリの書込設定状態などを検出するときの動作について図６のフローチャートを参照しながら説明する。
【００４９】
撮像機器２０にバッテリパック１０を装着すると、バッテリパック１０の＋端子１１／−端子１２及び通信端子１３と撮像機器２０の＋端子２１／−端子２２及び通信端子２３が接続され、バッテリパック１０に蓄積されている電力が電子機器２０に供給される（ＳＴ１００）。
【００５０】
撮像機器２０の電源をオンにすると、バッテリパック１０の通信回路１５０、と撮像機器２０の通信回路２３０は、それぞれ通信端子１３、通信端子２３を介してデータ通信を開始する（ＳＴ１０１→ＳＴ１０２）。
【００５１】
バッテリパック１０のマイクロコンピュータ１３０は、撮像機器２０とのデータ通信が開始されると、メモリ１４０に設定されているバッテリ種別情報を読み出し、読み出されたバッテリ種別情報を撮像機器２０に送出する（ＳＴ１０２）。
【００５２】
また、バッテリパック１０のマイクロコンピュータ１３０は、通信回路１５０によってバッテリ種別情報を送出すると共に、充放電制御回路１２０によって収集したバッテリセル情報も撮像機器２０へ送出する。なお、バッテリセル情報は、バッテリ種別情報と同じく通信端子１３を介して送出される。
【００５３】
撮像機器２０のマイコン２２３は、バッテリパック１０から送られてくるバッテリ種別情報及びバッテリセル情報を受信すると、このバッテリ種別情報からバッテリパックが「機器設定記録対応型」であるか否かを判別する（ＳＴ１０３）。
【００５４】
撮像機器２０のマイコン２２３は、バッテリ種別情報が「機器設定記録対応型」でない場合、従来のバッテリパック同様に、バッテリパック１０から送られてくるバッテリセル情報に基づいてバッテリ残量や動作可能時間などを表示部２２６に表示する（ＳＴ１０３→ＳＴ１１０→終了）。
【００５５】
撮像機器２０のマイコン２２３は、バッテリ種別情報が「機器設定記録対応型」である場合、例えば、図７に示すように「機器設定記録対応型」のバッテリパックであることを示すアイコン２２６ａを、バッテリ残量時間、記録時間、現在時間などの情報とともにＥＶＦや液晶画面などの表示部２２６に表示する（ＳＴ１０３→ＳＴ１０４）。
【００５６】
バッテリパック１０は、撮像機器２０に対してバッテリ種別情報及びバッテリセル情報を送出すると、撮像機器２０の設定情報を記録するための「機器設定記録モード」となり、メモリ１４０に設定されている書込許可情報を撮像機器２０へ送出する（ＳＴ１０５）。
【００５７】
撮像機器２０のマイコン２２３は、バッテリパック１０から送られてくる書込許可情報を受信すると、この書込許可情報に基づき、バッテリパック１０のメモリ１４０に設定情報の書き込みが可能であるか否かを検出する（ＳＴ１０６）。
【００５８】
バッテリパック１０のメモリ１４０への書き込みが「不可」である場合、ＳＴ１０８の処理へ移行する。
【００５９】
バッテリパック１０のメモリ１４０への書き込みが「可能」である場合、更にメモリ１４０に記録されている設定情報を自動的に更新（書き換え）するか否かの設定を検出する（ＳＴ１０６→ＳＴ１０７）。
【００６０】
続いて、撮像機器２０のマイコン２２３は、バッテリパック１０に対してメモリ１４０に記憶してある設定情報を要求する設定要求信号を送出する。
【００６１】
バッテリパック１０のマイクロコンピュータ１３０は、撮像機器２０から送られてくる設定情報の設定要求信号を受信すると、メモリ１４０に記録されている設定情報（以下、設定情報Ａという）を読み出して、撮像機器２０へ送出する（ＳＴ１０８→ＳＴ１０９）。
【００６２】
メモリ１４０に設定情報が記録されていない場合は、バッテリパックの状態検出を終了する（ＳＴ１０８→終了）。
【００６３】
撮像機器２０のマイコン２２３は、バッテリパック１０から送られてくる設定情報Ａを受信すると、設定情報Ａの更新情報と撮像機器２０のメモリ２２４に記録されている設定情報（以下、設定情報Ｂという）の更新情報とを比較する（ＳＴ１０９）。
【００６４】
撮像機器２０のメモリ２２４に記録されている設定情報Ｂの更新情報の方が古い場合には、撮像機器２０のメモリ２２４に記録してある設定情報Ｂを設定情報Ａに書き換える（ＳＴ１０９→ＳＴ１１０）。
【００６５】
撮像機器２０のメモリ２２４に記録されている設定情報Ｂの更新情報の方が新しい場合には、撮像機器２０のメモリ２２４に記録してある設定情報Ｂをそのまま使用する（ＳＴ１０９→終了）。
【００６６】
このようにして、電子機器にバッテリパックを装着したとき、バッテリパックの状態（種別やバッテリパックのメモリに対する書込設定状態など）を検出すると共に、電子機器側の設定情報を最新の設定情報に更新することができる。
【００６７】
次に、バッテリパックを装着した電子機器のメモリに記憶してある設定情報を更新したときの動作について図８のフローチャートを参照しながら説明する。
【００６８】
撮像機器２０の操作部２２５を操作し、機器の設定画面をオンにして表示部２２６（ＥＶＦや液晶画面など）に表示させる（ＳＴ２００）。
【００６９】
そして、撮影モードや記録媒体の種類、オートフォーカス、電子ズームなど機能を設定するための設定情報を所望の値にセットして設定画面を終了させる（ＳＴ２０１）。
【００７０】
撮像機器２０のマイコン２２３は、設定終了を検出すると、セットした設定情報とメモリ２２４に記憶されている設定情報とを比較し、設定情報が変更されているか否かを判別する（ＳＴ２０２）。
【００７１】
設定情報が変更されていない場合、撮像機器２０のメモリ２２４に記憶されている設定情報を更新せずに終了する（ＳＴ２０２→終了）。
【００７２】
設定情報が変更されている場合、次に、撮像機器２０のマイコン２２３は、バッテリパック１０に対し、変更された設定情報を記録する「機器設定記録モード」であるか否かを確認するための確認信号を送出する（ＳＴ２０２→ＳＴ２０３）。
【００７３】
バッテリパック１０のマイクロコンピュータ１３０は、撮像機器２０から送られてくる確認信号を受信すると、「機器設定記録モード」であるか否かを示す応答信号と共に、メモリ１４０に記録されている書込許可情報を読み出して、撮像機器２０へ送出する。
【００７４】
撮像機器２０のマイコン２２３は、バッテリパック１０から送られてくる応答信号を受信するとバッテリパック１０が「機器設定記録モード」であるか否かを判別する（ＳＴ２０３）。
【００７５】
バッテリパック１０が「機器設定記録モード」である場合、次に、書込許可情報の判別処理へ移行する（ＳＴ２０３→ＳＴ２０７）。
【００７６】
一方、バッテリパック１０が「機器設定記録モード」でない場合、撮像機器２０のマイコン２２３は、バッテリパック１０に対してバッテリ種別情報を要求する信号を送出する（ＳＴ２０４）。
【００７７】
バッテリパック１０のマイクロコンピュータ１３０は、バッテリ種別情報の要求信号を受信すると、メモリ１４０に記憶してあるバッテリ種別情報及び書込許可情報を読み出して撮像機器２０に送出する（ＳＴ２０４）。
【００７８】
撮像機器２０のマイコン２２３は、バッテリパック１０から送られてくるバッテリ種別情報を受信すると、このバッテリ種別情報に基づいて、「機器設定記録対応型」のバッテリパックであるか否かを判別する（ＳＴ２０５）。
【００７９】
「機器設定記録対応型」のバッテリパックでない場合、撮像機器２０のメモリ２２４の設定情報のみを更新する（ＳＴ２０５→ＳＴ２１０）。
【００８０】
「機器設定記録対応型」のバッテリパックである場合は、続いて、撮像機器２０のマイコン２２３は、バッテリパック１０のメモリ１４０に対する書込許可情報の判別処理へ移行する（ＳＴ２０５→ＳＴ２０６、ＳＴ２０７）。
【００８１】
撮像機器２０のマイコン２２３は、バッテリパック１０が「機器設定記録モード」である場合、バッテリパック１０のメモリ１４０に記録されている設定情報が書き換え可能か否かを書込許可情報に基づいて判別する（ＳＴ２０７）。
【００８２】
バッテリパック１０のメモリ１４０の書き換えが「不可」である場合、撮像機器２０のメモリ２２４の設定情報のみを更新する（ＳＴ２０７→ＳＴ２１０→）。
【００８３】
バッテリパック１０のメモリ１４０の書き換えが「可能」である場合、続いて、メモリ１４０に記録されている設定情報を自動的に書き換えるか否かの設定を判別する（ＳＴ２０７→ＳＴ２０８）。
【００８４】
バッテリパック１０のメモリ１４０を自動的に書き換えしない設定の場合、撮像機器２０のメモリ２２４の設定情報のみを更新する（ＳＴ２０８→ＳＴ２１０）。
【００８５】
バッテリパック１０のメモリ１４０を自動的に書き換えする設定の場合、メモリ１４０に記録されている設定情報を更新するとともに、撮像機器２０のメモリ２２４に記録されている設定情報の更新する（ＳＴ２０８→ＳＴ２０９、ＳＴ２１０）。
【００８６】
このように、バッテリパックのメモリに設定されている書込許可情報に基づいて、バッテリパック側及び電子機器側のメモリに対する設定情報の更新が行われる。
【００８７】
次に、バッテリパックのメモリ内容を電子機器のメモリに記憶してある設定情報に更新（書き換え）する、又は、電子機器のメモリ内容をバッテリパックのメモリに記憶してある設定情報に更新（書き換え）するときの動作について図９のフローチャートを参照しながら説明する。
【００８８】
撮像機器２０の操作部２２５を操作し、設定情報を更新するための設定画面をオンにすると、撮像機器２０のマイコン２２３は、通信回路２３０を介して、バッテリパック１０が設定情報を記録する「機器設定記録モード」であるか否かを確認するための確認信号をバッテリパック１０に送出する（ＳＴ３００）。
【００８９】
バッテリパック１０のマイクロコンピュータ１３０は、撮像機器２０から送られてくる確認信号を受信すると、通信回路１５０を介して「機器設定記録モード」であるか否かを示す応答信号を撮像機器２０へ送出する（ＳＴ３００）。
【００９０】
撮像機器２０のマイコン２２３は、バッテリパック１０から送られてくる応答信号を受信すると、バッテリパック１０が「機器設定記録モード」であるか否かを判別する（ＳＴ３０１）。
【００９１】
バッテリパック１０が「機器設定記録モード」でない場合、バッテリパック１０又は撮像機器２０のメモリに対する設定情報の更新（書き換え）処理は終了となる（ＳＴ３０１→終了）。
【００９２】
バッテリパック１０が「機器設定記録モード」である場合、撮像機器２０のマイコン２２３は、表示部２２６に「バッテリパックの設定情報を機器のメモリにコピーする」か「機器の設定情報をバッテリパックのメモリにコピーする」か「メモリに記憶する設定情報を常に最新の情報に保つ」のかを選択する選択メニュー画面、例えば、図１０（ａ）の”「バッテリ→機器へコピー」／「機器→バッテリへコピー」／「自動コピー」”というような選択メニュー画面を表示する（ＳＴ３０２）。
【００９３】
そして、撮像機器２０の操作部２２５を操作し、所望のメニューを選択する（ＳＴ３０３）。
【００９４】
「バッテリパックの設定情報を機器のメモリにコピーする」を選択した場合（図１０（ｂ）に示す「バッテリ→機器へコピー」を選択）、撮像機器２０のマイコン２２３は、バッテリパック１０に対してメモリ１４０に記録されている設定情報の要求信号を送出する（ＳＴ３０３→ＳＴ３０４）。
【００９５】
バッテリパック１０のマイクロコンピュータ１３０は、撮像機器２０からの要求信号を受信すると、メモリ１４０に記録されている設定情報（以下、設定情報Ａという）を読み出して撮像機器２０に送出する（ＳＴ３０４）。
【００９６】
撮像機器２０のマイコン２２３は、バッテリパック１０から送られてくる設定情報Ａを受信すると、メモリ２２４に記憶している設定情報（以下、設定情報Ｂという）をバッテリパック１０の設定情報Ａに更新（書き換え）する（ＳＴ３０５）。
【００９７】
一方、「機器側の設定情報をバッテリパック側のメモリにコピーする」を選択した場合（図１０（ｂ）に示す「機器→バッテリへコピー」を選択）、撮像機器２０のマイコン２２３は、バッテリパック１０のメモリ１４０に設定情報を書き込み可能か否かを確認するための確認信号をバッテリパック１０に送出する（ＳＴ３０３→ＳＴ３０６）。
【００９８】
バッテリパック１０のマイクロコンピュータ１３０は、撮像機器２０から送られてくる確認信号を受信すると、メモリ１４０に設定されている書込許可情報を読み出して撮像機器２０へ送出する。
【００９９】
撮像機器２０のマイコン２２３は、バッテリパック１０からの送られてくる書込許可情報を受信すると、この書込許可情報に基づき、バッテリパック１０のメモリ１４０に対して設定情報の書き込みが可能か否かを判別する（ＳＴ３０６）。
【０１００】
バッテリパック１０のメモリ１４０への書き込みが「不可」である場合、バッテリパック１０のメモリに対する設定情報の更新（書き換え）処理は終了となる（ＳＴ３０６→終了）。
【０１０１】
バッテリパック１０のメモリ１４０への書き込みが「可能」である場合、撮像機器２０のメモリ２２４に記録されている設定情報Ｂを読み出してバッテリパック１０に送出する（ＳＴ３０６→ＳＴ３０７）。
【０１０２】
バッテリパック１０のマイクロコンピュータ１３０は、撮像機器２０から送られてくる設定情報Ｂを受信すると、メモリ２４０に記憶してある設定情報Ａを撮像機器２０の設定情報Ｂに更新（書き換え）する（ＳＴ３０８）。
【０１０３】
このように、電子機器側からの操作によって、バッテリパックのメモリ内容を電子機器のメモリに記憶してある設定情報に更新（書き換え）する、又は、電子機器のメモリ内容をバッテリパックのメモリに記憶してある設定情報に更新（書き換え）することができる。
【０１０４】
また、例えば、図１０に示す選択メニュー画面において、「自動コピー」を選択、を選択した場合、まず、撮像機器２０のマイコン２２３は、通信回路２３０を介し、バッテリパック１０に対してメモリ１４０に記録されている設定情報Ａの要求信号を送出する（ＳＴ３０３→ＳＴ３０９）。
【０１０５】
バッテリパック１０のマイクロコンピュータ１３０は、撮像機器２０から送られてくる要求信号を受信すると、メモリ１４０に記録されている設定情報Ａを読み出して撮像機器２０に送出する（ＳＴ３０９）。
【０１０６】
撮像機器２０のマイコン２２３は、バッテリパック１０から送られてくる設定情報Ａを受信すると、この設定情報Ａの更新情報と、メモリ２２４に記憶している設定情報Ｂの更新情報とを比較する（ＳＴ３１０）。
【０１０７】
撮像機器２０のメモリ２２４に記録されている設定情報Ｂの更新情報の方が古い場合には、撮像機器２０のメモリ２２４に記録してある設定情報Ｂを設定情報Ａに書き換える（ＳＴ３１０→ＳＴ３０５）。
【０１０８】
撮像機器２０のメモリ２２４に記録されている設定情報Ｂの更新情報の方が新しい場合、撮像機器２０のマイコン２２３は、バッテリパック１０のメモリ１４０に設定情報を書き込み可能か否かを確認するための確認信号をバッテリパック１０に送出する（ＳＴ３１０→ＳＴ３０６）。
【０１０９】
バッテリパック１０のマイクロコンピュータ１３０は、撮像機器２０から送られてくる確認信号を受信すると、メモリ１４０に設定されている書込許可情報を読み出して撮像機器２０へ送出する。
【０１１０】
撮像機器２０のマイコン２２３は、バッテリパック１０から送られてくる書込許可情報に基づき、バッテリパック１０のメモリ１４０に対して設定情報の書き込みが可能か否かを判別する（ＳＴ３０６）。
【０１１１】
バッテリパック１０のメモリ１４０への書き込みが「不可」である場合、バッテリパック１０のメモリに対する設定情報の更新（書き換え）処理は終了となる（ＳＴ３０６→終了）。
【０１１２】
バッテリパック１０のメモリ１４０への書き込みが「可能」である場合、撮像機器２０のメモリ２２４に記録されている設定情報Ｂを読み出してバッテリパック１０に送出する（ＳＴ３０６→ＳＴ３０７）。
【０１１３】
バッテリパック１０のマイクロコンピュータ１３０は、撮像機器２０から送られてくる設定情報Ｂを受信すると、メモリ２４０に記憶してある設定情報Ａを撮像機器２０の設定情報Ｂに更新（書き換え）する（ＳＴ３０８）。
【０１１４】
このようにして、電子機器及びバッテリパックのメモリに記憶する設定情報を最新の設定情報に更新する。
【０１１５】
【発明の効果】
以上説明したように、バッテリパックに内蔵したメモリに電子機器の設定情報を記録するので、バッテリパックを機器に装着すれば、改めて設定操作を行わなくても、簡単に機器設定することができるという優れた効果を奏するものである。
【０１１６】
また、同一の機器を借りた場合や使用中の機器の故障等により買い換え、買い増しをした場合も同様に、手持ちのバッテリパックを機器に装着するだけで機器設定を復元することができ、バッテリパックを複数個用意すれば、その個数分だけ設定情報を保持することも可能である。
【０１１７】
更に、バッテリパックにメモリを内蔵するので、バッテリパックの構造も簡単であり、従来のバッテリパックと同じ接続端子や通信端子を流用することが可能であるため、製造コストを低減することができ、従来のバッテリパックを用いている電子機器にも使用することができるというメリットもある。
【０１１８】
一方、電子機器は、バッテリパックと接続する端子の構造は従来のものと同じ構造でよく、設定情報を記録するためのメモリやメモリカードなどを着脱する機構も不要となり、バッテリパックの記憶手段に対して自機器の設定情報の書き込み操作及び読み出し操作の制御を行うプログラム（ソフトウェア）の変更だけでよいので、製造コストを低減することができるとともに、機器を小型化して携帯性を向上することも可能となる。
【０１１９】
また、電子機器の製造時において初期設定を行う場合、従来では特殊な専用の設備にて初期設定情報の書き込みの必要があったが、このバッテリパックに設定情報を記録できるので、機器の検査行程においてバッテリパックを接続して動作確認を行う際に初期設定も同時に行うことができるので、専用の設備が不要となり、機器の検査も簡易に行うことができるというメリットもある。
【図面の簡単な説明】
【図１】本発明に係るバッテリパックの一例を示した外観図である。
【図２】本発明に係るバッテリパックの内部構成を略示的に示したブロック図である。
【図３】図２のバッテリパックを撮像機器（電子機器）に装着したときの構成を略示的に示したブロック図である。
【図４】図３のブロック図において、設定情報の通信経路を示した説明図である。
【図５】図３のブロック図において、バッテリセル情報の通信経路を示した説明図である。
【図６】電子機器にバッテリパックを装着したときの動作過程を示したフローチャートである。
【図７】図６のフローチャートにおいて、バッテリパックを装着したときの電子機器（撮像機器）における表示部の表示状態の一例を示したものである。
【図８】バッテリパックを装着した電子機器のメモリに記憶してある設定情報を更新したときの動作過程を示したフローチャートである。
【図９】バッテリパックのメモリ内容を電子機器のメモリに記憶してある設定情報に更新（書き換え）する、又は、電子機器のメモリ内容をバッテリパックのメモリに記憶してある設定情報に更新（書き換え）するときの動作過程を示したフローチャートである。
【図１０】図９のフローチャートにおいて、電子機器（撮像機器）で操作を選択するときの選択メニュー画面の一例を示したものである。
【符号の説明】
１０；バッテリパック、１１；＋端子、１２；−端子、１３；通信端子、１１０；バッテリセル、１２０；充放電制御回路、１３０；マイクロコンピュータ、１４０；メモリ、１５０；通信回路、１６０；電流検出回路、１７０；充放電制御スイッチ、１８０；発振回路、１８５；サーミスタ
２０；撮像機器、２１；＋端子、２２；−端子、２３；通信端子、２１０；電源回路、２２０；メイン回路、２２１；撮像部、２２２；信号処理部、２２３；マイコン、２２４；メモリ、２２５；操作部、２２６；表示部、２３０；通信回路、２２６ａ；アイコン
【図１】
2004335247.tif 000003
【図２】
2004335247.tif 000004
【図３】
2004335247.tif 000005
【図４】
2004335247.tif 000006
【図５】
2004335247.tif 000007
【図６】
2004335247.tif 000008
【図７】
2004335247.tif 000009
【図８】
2004335247.tif 000010
【図９】
2004335247.tif 000011
【図１０】
2004335247.tif 000012